(57)【要約】      （修正有）【課題】多方向に緊密保持でき、挟持が緊密でないことによる滑り落ちポータブル電子装置用ホルダ装置を提供する。【解決手段】ベース２１及びカバー２２を具え、該ベースは第１調整部品７１を利用し第１挟持アーム３と第２挟持アーム４を駆動して同期伸縮移動させ、並びに第１釈放レバー８で位置制限制御を行う。該カバーは第２調整部品７２を利用して第３挟持アーム５及び第４挟持アーム６を同期伸縮移動させ、並びに第２釈放レバー９で位置制限制御を行う。上述の要件で構成され、多方向の緊密挟持と釈放の操作を達成し、ポータブル電子装置用ホルダ装置の滑り落ちを防止できる。【選択図】図２
0003183682.tif 000002
【実用新案登録請求の範囲】
【請求項１】
ポータブル電子装置用ホルダ装置において、ベースとカバーを包含し、
該ベースは、第１挟持アーム、第２挟持アーム、第１調整部品、第１釈放レバー、及び第１弾性部品を包含し、
該第１挟持アームは、該ベースの第１側に設置され、外側に第１握持部が設けられ、並びに内向きに、第１ガイドスライド片が延伸され、該第１ガイドスライド片の一側辺に第１調整部が設けられ、もう一つの側辺に第２調整部が設けられ、
該第２挟持アームは該ベースの第２側に収容され、その外側に、第２握持部が設けられ、並びに内向きに第２ガイドスライド片が延伸され、該第２ガイドスライド片の一側辺に第３調整部が設けられ、
該第１調整部品は該第１調整部及び該第３調整部に噛み合い、
該第１釈放レバーは第２弾性部品を包含し、該第２弾性部品は弾力を提供して、該第１釈放レバーを該第２調整部に係合させ位置制限し、
該第１弾性部品は弾力を提供し、該第１挟持アームと該第２挟持アームに調整、釈放させ、
該カバーは、該ベースと結合され、それは第３挟持アーム、第４挟持アーム、第２調整部品、第２釈放レバー及び第３弾性部品を収容し、
該第３挟持アームは該カバーの第３側に設置され、その外側に第３握持部が設けられ、並びに内向きに第３ガイドスライド片が延伸され、該第３ガイドスライド片の一側辺に第４調整部が設けられ、その別の１側辺に、第５調整部が設けられ、
該第４挟持アームは、該カバーの第４側に設置され、その外側に第４握持部が設けられ、並びに内向きに第４ガイドスライド片が延伸され、該第４ガイドスライド片はその１側辺に第６調整部が設けられ、
該第２調整部品は、該第４調整部と該第６調整部に噛み合い、
該第２釈放レバーは、第４弾性部品を包含し、該第４弾性部品は弾力を提供して該第２釈放レバーを該第５調整部に係合させ位置制限し、
該第３弾性部品は、弾力を提供して該第３挟持アームと該第４挟持アームに調整釈放を行わせ、
以上を特徴とする、ポータブル電子装置用ホルダ装置。
【請求項２】
請求項１記載のポータブル電子装置用ホルダ装置において、上述の第１調整部品と第２調整部品は、歯車とされることを特徴とする、ポータブル電子装置用ホルダ装置。
【請求項３】
請求項１記載のポータブル電子装置用ホルダ装置において、上述の第１、２、３、４、５、６調整部は、ラックとされることを特徴とする、ポータブル電子装置用ホルダ装置。
【請求項４】
請求項１記載のポータブル電子装置用ホルダ装置において、上述の第１、２、３、４弾性部品は、バネとされることを特徴とする、ポータブル電子装置用ホルダ装置。
【請求項５】
請求項１記載のポータブル電子装置用ホルダ装置において、上述の第１釈放レバーは、第１レバーロッドと第２弾性部品を包含し、該第１レバーロッドは、その一側に柱孔、第２固定柱及び第１係止舌が設けられ、他側に第１ハンドルが設けられ、該柱孔は該ベースに嵌合され、該第２固定柱は該第２弾性部品の一端の固定に供され、該第１係止舌は該第１挟持アームの第２調整部に係合し位置制限されることを特徴とする、ポータブル電子装置用ホルダ装置。
【請求項６】
請求項１記載のポータブル電子装置用ホルダ装置において、上述の第２釈放レバーは、第２レバーロッドと第４弾性部品を包含し、該第２レバーロッドは、その一側に柱孔、第４固定柱及び第２係止舌が設けられ、他側に第２ハンドルが設けられ、該柱孔は該カバーに嵌合され、該第４固定柱は該第４弾性部品の一端の固定に供され、該第２係止舌は該第３挟持アームの第５調整部に係合し位置制限されることを特徴とする、ポータブル電子装置用ホルダ装置。
【請求項７】
請求項１記載のポータブル電子装置用ホルダ装置において、上述の第２挟持アームは、第１固定柱を包含し、該第１固定柱は該第１弾性部品の固定に供されることを特徴とする、ポータブル電子装置用ホルダ装置。
【請求項８】
請求項１記載のポータブル電子装置用ホルダ装置において、上述の第４挟持アームは、第３固定柱を包含し、該第３固定柱は該第３弾性部品の固定に供されることを特徴とする、ポータブル電子装置用ホルダ装置。
【請求項９】
請求項１記載のポータブル電子装置用ホルダ装置において、上述のベースと該カバーの間は、さらに、隔板が設けられて区画されていることを特徴とする、ポータブル電子装置用ホルダ装置。
【請求項１０】
請求項１記載のポータブル電子装置用ホルダ装置において、上述の第１、２、３、４握持部は、それぞれ回転軸セット及び挟持片が設けられ、該回転軸セットは、その弾力により該挟持片を回転させ、これによりポータブル電子装置を固定することを特徴とする、ポータブル電子装置用ホルダ装置。
【請求項１１】
請求項１０記載のポータブル電子装置用ホルダ装置において、上述の回転軸セットは、抵抗力式回転軸セットとされることを特徴とする、ポータブル電子装置用ホルダ装置。
【考案の詳細な説明】
【技術分野】
【０００１】
本考案は一種のポータブル電子装置用ホルダ装置に係り、特に、多方向に緊密挟持できるポータブル電子装置用ホルダ装置であって、これにより多方向の緊密挟持と釈放の操作を達成して、被挟持物の滑り落ちを防止できるものに関する。
【背景技術】
【０００２】
コンピュータの発展はマシンルームからパーソナルコンピュータ、ノートパソコンに至り、さらに、スマートフォン、タブレットＰＣ等のタッチコントロール式のポータブル電子装置が生まれ、タッチスクリーンの技術により、使用者は直観式にコンピュータスクリーン上で直接目標項目をクリック選択でき、並びに二本以上の指を開く或いは押圧する動作により、スクリーン上のイメージ或いは文字を拡大と縮小できる。このような、直接にスクリーン上でクリックする操作方式は、強制的に使用者とスクリーンの間の距離を接近させる。伝統的なコンピュータ使用者とスクリーンの間は、キーボードにより隔てられる操作方式であるが、却ってポータブル電子装置のタッチスクリーンを操作インタフェースとするよりも、敏捷である。さらに、ポータブル電子装置は、単純な板体の構造とされて、使用者がいつでもどこでもスクリーン上をタッチし操作できるものとされる。
【０００３】
ポータブル電子装置は、通常、構造が簡潔で、外観が精緻であり、使用者に好まれる。ただし、その外表は引っ掻き傷或いは汚れをつけやすく、美観に影響が生じる。このため、市場には、各種材質のポータブル電子装置用保護カバーが出現し、これらの保護カバーは通常、これら電子装置の背面を被覆し、並びにスクリーン部分を露出させて、操作に供し、これにより、ボデー表面の美観を保護する。
【０００４】
このほか、多くのポータブル電子装置は、一つの板体構造とされ、余分の支持装置を有しておらず、たとえばタブレットＰＣ等の比較的大型の装置であると、使用者は随時片手でコンピュータの重量を支え、もう一方の手で操作を行わねばならず、ときには、卓上或いは膝の上に置く時は、いずれも使用者の掌で支持しなければ、スクリーンを立てて使用者にとって最適な閲覧角度を獲得することができず、これは使用者にとって極めて不便であり、長時間の使用により手腕の疲労を形成しやすい。さらに、ポータブル電子装置を経常的に手に保持して使用すると、両手が操作のほかに、握持して落下を防止しなければならず、長時間握持すると手部の疲労をもたらし、さらに、このようなポータブル電子装置は、製品の美観のために、通常、外表が比較的光沢のある円弧の流線に設計され、手部による握持に、より不利である。
【０００５】
さらに、一般にタブレットＰＣは、使用者が手に持って使用するように設計されるが、一般に１０インチスクリーンのタブレットＰＣは、そのサイズが通常、約１８ｃｍ×２４ｃｍとされ、重量は最少でも５００ｇを超過し、これによりタブレットＰＣの一側を手で保持し、もう一方の手でコンピュータのタッチスクリーンを操作する。そのスクリーンの一側を保持する手は、コンピュータの重量を支持する必要はないものの、手の握持部分がコンピュータの重心上にないため、重心を支持する引力が発生する梃子の力により、手部の負荷が増し、手腕の疲労と負担を増す。
【０００６】
手で電子装置を握持する不便を解決するため、各種の関係挟持装置の創作が不断に発生し、たとえば、図１に示される特許文献１はその典型的なものであり、それは、載置台のロック構造であり、座体１内部のチャネルの軸部に調整モジュール１１の回転盤１１１と複数の歯車１１２が枢接され、周囲に、挟持機構のガイドレール板１３が設けられて相対スライドに供され、回転盤１１１が回転させられる時、その押動部１４がスイングアーム１５を押動して外向きにスイングさせて釈放状態を形成し、さらにガイドレール板１３を回して外向き或いは内向きにスライドさせ、ガイドレール板１３上のラック１６を歯車１１２にかみ合わせて、歯車１１２を回転させ、回転盤１１１が逆方向に回転し、スイングアーム１５の係止部を内向きにラック１６の外側辺部分を係止させて係止定位状態を形成し、ガイドレール板１３は、内向きに電子装置の側辺を挟持でき、これにより、構造が安定し、操作が簡易な効果を達成する。
【０００７】
特許文献１の構造は、ポータブル電子装置の放置と挟持に供されるが、その挟持操作は、上下左右が同期に動作し、一旦挟持をゆるめる時、該ポータブル電子装置は瞬間的に全ての挟持を失い、釈放が急速すぎるために、操作者の反応が間に合わず、ポータブル電子装置が不注意から滑り落ちて損壊しやすい。
【先行技術文献】
【特許文献】
【０００８】
【特許文献１】台湾特許第Ｍ４４０６３３号
【考案の概要】
【考案が解決しようとする課題】
【０００９】
周知の欠点を鑑み、本考案者は研究と改良を重ね、終に一種のポータブル電子装置用ホルダ装置を完成した。すなわち、本考案の創作目的は、一種の、多方向に緊密挟持できるポータブル電子装置用ホルダ装置を提供することにより、挟持が緊密でないことによる電子装置の滑り落ちを防止することにある。
【課題を解決するための手段】
【００１０】
本考案のポータブル電子装置用ホルダ装置は、ベースとカバーを包含する。
該ベースは、第１挟持アーム、第２挟持アーム、第１調整部品、第１釈放レバー、及び第１弾性部品を包含する。
該第１挟持アームは、該ベースの第１側に設置され、外側に、第１握持部が設けられ、並びに内向きに、第１ガイドスライド片が延伸され、該第１ガイドスライド片の一側辺に第１調整部が設けられ、もう一つの側辺に第２調整部が設けられている。
該第２挟持アームは該ベースの第２側に収容され、その外側に、第２握持部が設けられ、並びに内向きに第２ガイドスライド片が延伸され、該第２ガイドスライド片の一側辺に第３調整部が設けられる。
該第１調整部品は該第１調整部及び該第３調整部に噛み合う。
該第１釈放レバーは第２弾性部品を包含し、該第２弾性部品は弾力を提供して、該第１釈放レバーを該第２調整部に係合させ位置制限する。
該第１弾性部品は弾力を提供し、該第１挟持アームと該第２挟持アームに調整、釈放させる。
該カバーは、該ベースと結合され、それは第３挟持アーム、第４挟持アーム、第２調整部品、第２釈放レバー及び第３弾性部品を収容する。
該第３挟持アームは該カバーの第３側に設置され、その外側に第３握持部が設けられ、並びに内向きに第３ガイドスライド片が延伸され、該第３ガイドスライド片の一側辺に第４調整部が設けられ、その別の１側辺に、第５調整部が設けられる。
該第４挟持アームは、該カバーの第４側に設置され、その外側に第４握持部が設けられ、並びに内向きに第４ガイドスライド片が延伸され、該第４ガイドスライド片はその１側辺に第６調整部が設けられる。
該第２調整部品は、該第４調整部と該第６調整部に噛み合う。
該第２釈放レバーは、第４弾性部品を包含し、該第４弾性部品は弾力を提供して該第２釈放レバーを該第５調整部に係合させ位置制限する。
該第３弾性部品は、弾力を提供して該第３挟持アームと該第４挟持アームに調整釈放を行わせる。
【００１１】
上述の第１調整部品と第２調整部品は、歯車とされる。
【００１２】
上述の第１、２、３、４、５、６調整部は、ラックとされる。
【００１３】
上述の第１、２、３、４弾性部品は、バネとされる。
【００１４】
上述の第１釈放レバーは、第１レバーロッドと第２弾性部品を包含し、該第１レバーロッドは、その一側に柱孔、第２固定柱及び第１係止舌が設けられ、他側に第１ハンドルが設けられ、該柱孔は該ベースに嵌合され、該第２固定柱は該第２弾性部品の一端の固定に供され、該第１係止舌は該第１挟持アームの第２調整部に係合し位置制限される。
【００１５】
上述の第２釈放レバーは、第２レバーロッドと第４弾性部品を包含し、該第２レバーロッドは、その一側に柱孔、第４固定柱及び第２係止舌が設けられ、他側に第２ハンドルが設けられ、該柱孔は該カバーに嵌合され、該第４固定柱は該第４弾性部品の一端の固定に供され、該第２係止舌は該第３挟持アームの第５調整部に係合し位置制限される。
【００１６】
上述の第２挟持アームは、第１固定柱を包含し、該第１固定柱は該第１弾性部品の固定に供される。
【００１７】
上述の第４挟持アームは、第３固定柱を包含し、該第３固定柱は該第３弾性部品の固定に供される。
【００１８】
上述のベースは、それと該カバーの間に、さらに、隔板が設けられて区画されている。
【００１９】
上述の第１、２、３、４握持部は、それぞれ回転軸セット及び挟持片が設けられ、該回転軸セットは、その弾力により該挟持片を回転させ、これによりポータブル電子装置を固定する。
【００２０】
上述の回転軸セットは、抵抗力式回転軸セットとされる。
【考案の効果】
【００２１】
本考案は第１調整部品を利用し第１挟持アームと第２挟持アームを駆動して同期伸縮移動させ、並びに第１釈放レバーで位置制限制御を行う。該カバーは第２調整部品を利用して第３挟持アーム及び第４挟持アームを同期伸縮移動させ、並びに第２釈放レバーで位置制限制御を行う。上述の要件で構成され、多方向の緊密挟持と釈放の操作を達成し、これによりポータブル電子装置用ホルダ装置の滑り落ちを防止できる。
【図面の簡単な説明】
【００２２】
【図１】周知の構造表示図である。
【図２】本考案の立体分解図である。
【図３】本考案の立体図である。
【図４】本考案の構造表示図（一）である。
【図５】本考案の構造表示図（二）である。
【図６】本考案のカバーの立体図である。
【図７】本考案の操作表示図（一）である。
【図８】本考案の操作表示図（二）である。
【図９】本考案の釈放状態の立体図である。
【図１０】本考案の挟持アーム握持部の回転局部表示図（一）である。
【図１１】本考案の挟持アーム握持部の回転局部表示図（二）である。
【図１２】本考案の実施例表示図である。
【考案を実施するための形態】
【００２３】
図２から図６を参照されたい。本考案のポータブル電子装置用ホルダ装置Ａは、ベース２１とカバー２２を包含する。
【００２４】
該ベース２１は、第１挟持アーム３、第２挟持アーム４、第１調整部品７１、第１釈放レバー８、及び第１弾性部品Ｓ１を包含する。
【００２５】
該第１挟持アーム３は、該ベース２１の第１側Ｂ１に設置され、外側に、第１握持部３０が設けられ、並びに内向きに、第１ガイドスライド片３１が延伸されている。該第１握持部３０は、該第１ガイドスライド片３１の一側端の回転軸セット３１１に握持片３２及び挟持片３３が嵌合されてなる。該回転軸セット３１１に穿孔３１２が設けられ、該穿孔３１２は該挟持片３３の側穿孔３３１に対応し、並びにピン３３２が通され枢接される。該第１ガイドスライド片３１の側辺に第１調整部３１３が設けられ、他側に第２調整部３１４が設けられる。
【００２６】
該第２挟持アーム４は、該ベース２１の第２側Ｂ２に設置され、その外側に、第２握持部４０が設けられ、並びに内向きに第２ガイドスライド片４１が延伸されている。該第２握持部４０は、該第２ガイドスライド片４１の一側端の回転軸セット４１１に握持片４２及び挟持片４３が嵌合されてなる。該回転軸セット４１１に穿孔４１２が設けられ、該穿孔４１２は該挟持片４３の側穿孔４３１に対応し、並びにピン４３２が通され枢接される。該第２ガイドスライド片４１の側辺に第３調整部４１３が設けられ、他側に第１固定柱４１４が設けられる。
【００２７】
該第１調整部品７１は、該ベース２１の第１凸柱２１１に嵌合され、該第１調整部３１３及び該第３調整部４１３に噛み合い、該第１調整部品７１は歯車とされ、それと噛み合う該第１調整部３１３及び該第３調整部４１３はラックとされる。
【００２８】
該第１釈放レバー８は、第１レバーロッド８１及び第２弾性部品Ｓ２を包含し、該第１レバーロッド８１の一側には柱孔８１１、第２固定柱８１２及び第１係止舌８１３が設けられ、他側には第１ハンドル８１４が設けられている。該柱孔８１１は該ベース２１の第２凸柱２１３に嵌合され、該第２固定柱８１２は、該第２弾性部品Ｓ２の一端の固定に供される。該第２弾性部品Ｓ２の他端は、該ベース２１の第１凹溝２１２に当接し、該第１係止舌８１３は該第１挟持アーム３の第２調整部３１４に係合し位置制限され、該第２調整部３１４はラックとされる。
【００２９】
該第１弾性部品Ｓ１は、その一端が、該第２挟持アーム４の第１固定柱４１４に固定され、他端は、該ベース２１の第２凹溝２１４に当接する。
【００３０】
該カバー２２は、該ベース２１と結合され、それは、第３挟持アーム５、第４挟持アーム６、第２調整部品７２、第２釈放レバー９及び第３弾性部品Ｓ３を収容する。
【００３１】
該第３挟持アーム５は、該カバー２２の第３側Ｂ３に設置され、その外側に第３握持部５０が設けられ、並びに内向きに第３ガイドスライド片５１が延伸され、該第３握持部５０は該第３ガイドスライド片５１の一側端の回転軸セット５１１に挟持片５２が嵌合されて構成され、該回転軸セット５１１に穿孔５１２が設けられ、該穿孔５１２は該挟持片５２の一側の穿孔５２１に対応し、並びにピン５２２が通されて枢接され、該第３ガイドスライド片５１はその１側辺に第４調整部５１３が設けられ、その別の一側辺に第５調整部５１４が設けられる。
【００３２】
該第４挟持アーム６は、該カバー２２の第４側Ｂ４に設置され、その外側に第４握持部６０が設けられ、並びに内向きに第４ガイドスライド片６１が延伸され、該第４握持部６０は該第４ガイドスライド片６１の一側端の回転軸セット６１１に挟持片６２が嵌合されて構成され、該回転軸セット６１１に穿孔６１２が設けられ、該穿孔６１２は該挟持片６２の側穿孔６２１に対応し、並びにピン６２２が通されて枢接され、該第４ガイドスライド片６１はその１側辺に第６調整部６１３が設けられ、その別の一側辺に第３固定柱６１４が設けられる。
【００３３】
該第２調整部品７２は、該カバー２２の第３凸柱２２１に嵌合され、それは、該第４調整部５１３及び該第６調整部６１３と噛み合い、該第２調整部品７２は歯車とされ、それと噛み合う該第４調整部５１３及び該第６調整部６１３はラックとされる。
【００３４】
該第２釈放レバー９は、第２レバーロッド９１及び第４弾性部品Ｓ４を包含し、該第２レバーロッド９１は、その一側に柱孔９１１、第４固定柱９１２及び第２係止舌９１３が設けられ、その他側に第２ハンドル９１４が設けられ、該柱孔９１１は該カバー２２の第４凸柱２２３に嵌合され、該第４固定柱９１２は該第４弾性部品Ｓ４の一端の固定に供され、該第４弾性部品Ｓ４の他端は、該カバー２２の第３凹溝２２２に当接し、該第２係止舌９１３は該第３挟持アーム５の第５調整部５１４に係合し位置制限され、該第５調整部５１４はラックとされる。
【００３５】
該第３弾性部品Ｓ３は、その一端が該第４挟持アーム６の第３固定柱６１４に固定され、その他端は該カバー２２の第４凹溝２２４に当接する。
【００３６】
上述の要件で構成され、該第１挟持アーム３、第２挟持アーム４をゆるめたい時（図７、図９を参照されたい）、手指で該第１釈放レバー８の第１ハンドル８１４を引張り、該第１係止舌８１３を、該第２調整部３１４に対する係止、位置制限より離脱させると、同時に、該第１弾性部品Ｓ１がそれ以上圧縮を受けなくなり、その回復弾力で該第２挟持アーム４を外向きに押圧し、該第２挟持アーム４が移動する時に、該第１調整部品７１が駆動されて該第１挟持アーム３を同期して外向きに移動させる。
【００３７】
内向きに挟持したい時は、すなわち、直接手指で該第１挟持アーム３（或いは第２挟持アーム４）を内向きに押して、最終的な挟持位置に至らせると、該第１係止舌８１３が、該第２調整部３１４に係止、位置制限され、これにより、該第１、２挟持アーム３、４がゆるんで移動するのを防止する。
【００３８】
このほか、該第３挟持アーム５、第４挟持アーム６をゆるめたい時は（図８、図９を参照されたい）、手指で該第２釈放レバー９の第２ハンドル９１４を引張り、該第２係止舌９１３を、第５調整部５１４に対する係止、位置制限より離脱させると、該第３弾性部品Ｓ３がそれ以上、圧縮を受けなくなり、その回復弾力により該第４挟持アーム６を外向きに押し、該第４挟持アーム６が移動する時に、該第２調整部品７２が連帯して該第３挟持アーム５を同期して外向きに移動させる。
【００３９】
内向きに挟持したい時は、直接手指で該第３挟持アーム５（或いは第４挟持アーム６）を内向きに押して、最終的な挟持位置に至らせると、該第２係止舌９１３が、該第５調整部５１４の位置に、係止、位置制限され、これにより、該第３、４挟持アーム５、６がゆるんで移動するのを防止する。
【００４０】
図２に示されるように、上述のベース２１と該カバー２２の間は、さらに、隔板２３が設けられて区画されている。
【００４１】
上述の第１、２、３、４弾性部品Ｓ１、Ｓ２、Ｓ３、Ｓ４は、バネとされる。
【００４２】
図１０、図１１、図１２に示されるように、本考案は十分に緊密に、該ポータブル電子装置Ｅを挟持できるようにするため、回転軸セット３１１、４１１、５１１、６１１は抵抗力式回転軸とされ、並びにその弾力で常態で、該挟持片３３、４３、５２、６２を回転させて該ポータブル電子装置Ｅを固定する。
【００４３】
図１２に示されるのは、本考案のポータブル電子装置用ホルダ装置Ａが自動車の背もたれＣに取り付けられた実施例であり、それは、該回転軸セット３１１、４１１、５１１、６１１がその弾力で、該挟持片３３、４３、５２、６２を回転させることで、緊密に該ポータブル電子装置Ｅを挟持固定する。
【００４４】
総合すると、本考案は、第１調整部品を利用し第１挟持アームと第２挟持アームを駆動して同期伸縮移動させ、並びに第１釈放レバーに第１弾性部品を組み合わせて、位置制限と釈放の制御を行う。第２調整部品を利用して第３挟持アーム及び第４挟持アームを同期伸縮移動させ、並びに第２釈放レバーに第３弾性部品を組み合わせて位置制限制御を行う。
【００４５】
上述の要件で構成され、多方向の緊密挟持と釈放の操作を達成し、これによりポータブル電子装置用ホルダ装置の滑り落ちを防止でき、ゆえに、本考案は新規性及び進歩性を有する。
【符号の説明】
【００４６】
１  座体
１１  調整モジュール
１１１  回転盤
１１２  歯車
１３  ガイドレール板
１４  押動部
１５  スイングアーム
１６  ラック
Ａ  ホルダ装置
２１  ベース
２１１  第１凸柱
２１２  第１凹溝
２１３  第２凸柱
２１４  第２凹溝
２２  カバー
２２１  第３凸柱
２２２  第３凹溝
２２３  第４凸柱
２２４  第４凹溝
２３  隔板
３  第１挟持アーム
３０  第１握持部
３１  第１ガイドスライド片
３１１  回転軸セット
３１２  穿孔
３１３  第１調整部
３１４  第２調整部
３２  握持片
３３  挟持片
３３１  側穿孔
３３２  ピン
４  第２挟持アーム
４０  第２握持部
４１  第２ガイドスライド片
４１１  回転軸セット
４１２  穿孔
４１３  第３調整部
４１４  第１固定柱
４２  握持片
４３  挟持片
４３１  側穿孔
４３２  ピン
５  第３挟持アーム
５０  第３握持部
５１  第３ガイドスライド片
５１１  回転軸セット
５１２  穿孔
５１３  第４調整部
５１４  第５調整部
５２  挟持片
５２１  側穿孔
５２２  ピン
６  第４挟持アーム
６０  第４握持部
６１  第４ガイドスライド片
６１１  回転軸セット
６１２  穿孔
６１３  第６調整部
６１４  第３固定柱
６２  挟持片
６２１  側穿孔
６２２  ピン
７１  第１調整部品
７２  第２調整部品
８  第１釈放レバー
８１  第１レバーロッド
８１１  柱孔
８１２  第２固定柱
８１３  第１係止舌
８１４  第１ハンドル
９  第２釈放レバー
９１  第２レバーロッド
９１１  柱孔
９１２  第４固定柱
９１３  第２係止舌
９１４  第２ハンドル
Ｓ１  第１弾性部品
Ｓ２  第２弾性部品
Ｓ３  第３弾性部品
Ｓ４  第４弾性部品
Ｂ１  第１側
Ｂ２  第２側
Ｂ３  第３側
Ｂ４  第４側
Ｃ  自動車の背もたれ
Ｅ  ポータブル電子装置
【図１】
0003183682.tif 000003
【図２】
0003183682.tif 000004
【図３】
0003183682.tif 000005
【図４】
0003183682.tif 000006
【図５】
0003183682.tif 000007
【図６】
0003183682.tif 000008
【図７】
0003183682.tif 000009
【図８】
0003183682.tif 000010
【図９】
0003183682.tif 000011
【図１０】
0003183682.tif 000012
【図１１】
0003183682.tif 000013
【図１２】
0003183682.tif 000014